(57)【特許請求の範囲】
【請求項１】
エーロゾル容器にクリンチする前のエーロゾル取付けカップにおいて、
中心に配置した台部分と、この台部分から半径方向外方に延びる輪郭部分と、下端部においては前記輪郭部分に連結され、上端部においては外側スカート状部分に終る環状の湾曲したみぞ形部分に連結された直立した環状の本体部分とを備えたエーロゾル取付けカップにおいて、前記直立した本体部分に向かうテーパを付けたスカート状部分を備え、さらにこのスカート状部分の末端縁部の外面を斜めに切断して成るエーロゾル取付けカップ。
【請求項２】
さらに前記取付けカップの表面にプラスチック・コーティングを設けた請求項１のエーロゾル取付けカップ。
【請求項３】
さらに前記直立した本体部分に向かう前記スカート状部分のテーパを０．５０°ないし３°とし、このスカート状部分の末端縁部の外面が１５°ないし２２°のベベル角度を持つようにした請求項１のエーロゾル取付けカップ。
【請求項４】
さらに前記直立した本体部分に向かう前記スカート状部分のテーパを約３°とし、又このスカート状部分の末端縁部の外面の斜角を約２０°にした請求項１のエーロゾル取付けカップ。
【請求項５】
さらに前記直立した本体部分に向かう前記スカート状部分のテーパを０．５０°ないし３°とし、このスカート状部分の末端縁部の外面が１５°ないし２２°のベベル角度を持つようにした請求項２のエーロゾル取付けカップ。
【請求項６】
さらに前記直立した本体部分に向かう前記スカート状部分のテーパを約３°とし、このスカート状部分の末端縁部の外面の斜角を約２０°とした請求項２のエーロゾル取付けカップ。
【発明の詳細な説明】
【０００１】
【産業上の利用分野】
本発明は一般に「ガスケット付き取付けカップ」（ｇａｓｋｅｔｅｄ  ｍｏｕｎｔｉｎｇ  ｃｕｐ）と呼ばれるエーロゾル容器用弁取付けアセンブリに関する。ことに本発明は、エーロゾル容器のビードへの取付けカップ・クリンチ操作によりエーロゾル容器開口のふたを形成する弁取付けアセンブリ部品である改良された取付けカップに関する。本発明のこの特定の改良は取付けカップのスカート状部分の修正に係わる。
【０００２】
【従来の技術】
エーロゾル容器は液体製品でも粉末粒子状製品でもよい種種の流体材料（ｆｌｕｉｄ  ｍａｔｅｒｉａｌ）を封入するのに広く使われている。典型的には製品及び推進剤をこの容器内に大気圧以上の圧力で閉じ込め、分与弁を手動で開きこの容器内の圧力により弁を経て製品を送出し導管を放出オリフィスに連結することにより製品を容器から放出する。
【０００３】
密封ガスケットを持つ取付けカップにクリンプした分与弁は通常容器の上部開口に取付ける。この開口は一般に容器開口の「ビード」と呼ばれる部品により仕切ってある。取付けカップは、分与弁を保持する中央台部分とこの台部分から外方に延びる輪郭部分とを備える。この輪郭部分は上方に延びる本体部分に合体する。この本体部分は外部スカート状部分に終る半球形のみぞ形部分になる。このみぞ形部分は容器開口のビード部分を受入れるように形成してある。密封ガスケットは通常みぞ形部分内に配置され多くのガスケット構造では本体部分の一部に沿い下方に延びる。密封ガスケットを取付けカップに配置した後、このカップは容器上に位置させ又このカップを容器にクリンチする。このクリンチ作業はエーロゾル容器の業界の当業者にはよく知られている。
【０００４】
エーロゾル取付けカップ（ａｅｒｏｓｏｌ  ｍｏｕｎｔｉｎｇ  ｃｕｐ）は通常、型及び切断装置に送られる金属シートから取付けカップのスタンピング（ｓｔａｍｐｉｎｇ）、絞り加工（ｄｒａｗｉｎｇ）又最終的に切断により作られる。取付けカップの外側部分又はスカート状部分は通常真直ぐなものとして示してあるが、実際には従来のカップは、周縁部のまくれ上がることが多いわずかに外方に広がったスカート状部分を持つ（後述の図１参照）。
【０００５】
外方への広がり及びまくれの大きさは、プレスツーリング内部で変化し仕上げのトリム及び絞り作業すなわちトリム（ｔｒｉｍ）及び絞りパンチ（ｄｒａｗ  ｐｕｎｃｈ）・トリム及び絞り型（ｄｒａｗ  ｄｉｅ）、又内部カーリング・パンチ（ｉｎｎｅｒ  ｃｕｒｌｉｎｇ  ｐｕｎｃｈ）におけるツーリング（ｔｏｏｌｉｎｇ）に関連する。前記の問題は、パンチ及び型の間の漸次の摩耗及びすきまによって生ずる。たとえば０．００１５の標準すきまを持つ新しいパンチは比較的鋭い切断縁［最小のばり（ｂｕｒｒ）］を保持する。しかし大量の生産中には広がり及びばりの生成は通常起るものである。
【０００６】
金属製取付けカップは、エーロゾル容器内に貯蔵しようとする製品の腐食作用と共に周囲の大気条件とに対し金属を保護するように、薄い保護プラスチック・コーティングを被覆することが多い。工業的には弁を設けた又は設けてない取付けカップは、箱内にゆるく納め弁取付けアセンブリの他の部品の組付けのために他の場所に移送し引続いて、エーロゾル容器に製品及び推進剤を充てんし弁取付けアセンブリ及び充てん済み容器を密封した関係に固定する場所（充てん装置）に移送する。移送時には取付けカップは自由に移動させそれぞれ容器内に移行させることによりこの取付けカップのスカート状部分の急に外方に広がり、ばりを生ずることの多い外周縁部がすずめつき取付けカップの外部すずコーティングと共に鋼製及びアルミニウム製のカップの薄いプラスチック及びラッカーのコーティングにこすれる。
【０００７】
さらにエーロゾル弁の量産時には取付けカップへのガスケットの取付けと、取付けカップへの弁の組付けとに際しては、場所から場所へ軌道に沿い連続的に取付けカップを移動させることを含む。従って追尾線（ｔｒａｃｋｉｎｇ  ｌｉｎｅ）内の各隣接する取付けカップは、軌道に沿って移動するときに実質的に点接触すなわち各カップのスカート状部分の比較的望ましい表面対表面の接触でなくて朝顔形の張出し縁部（ｆｌａｒｅｄ  ｅｄｇｅ）対朝顔形の張出し縁部の接触を生ずる。各朝顔形の張出し縁部の点接触により取付けカップの損傷を招くことが多い。
【０００８】
本発明の目的は、前記したような従来の取付けカップの欠点をなくし又は最少にした、エーロゾル容器用の改良された金属製取付けカップを提供することにある。
【０００９】
これ等の目的及びその他の利点は、本発明の改良された取付けカップの使用によって得られる。
【００１０】
本発明の最も広い態様では改良された本発明取付けカップは、半径方向内向きのわずかなテーパを持ち、さらに斜めに切断した外側末端縁部を持つカップスカート状部分を設けた取付けカップである。
【００１１】
本発明取付けカップは、この取付けカップの外側スカート状部分に沿いテーパ付き円筒形スリーブを前進させることにより形成する。
【００１２】
【実施例】
図１は、中心穴１２を形成する台部分（ｐｅｄｅｓｔａｌ  ｐｏｒｔｉｏｎ）１１と、本体部分１４に合体する輪郭部分（ｐｒｏｆｉｌｅ  ｐｏｒｔｉｏｎ）１３と、縁部分１８に終る外側スカート状部分（ｏｕｔｅｒ  ｓｋｉｒｔ  ｐｏｒｔｉｏｎ）１６を持つ湾曲したみぞ形部分（ｃｕｒｖｉｌｉｎｅａｒ  ｃｈａｎｎｅｌ  ｐｏｒｔｉｏｎ）１５とを備えた取付けカップ（ｍｏｕｎｔｉｎｇ  ｃｕｐ）１０を示す。
【００１３】
図２では各取付けカップの各部分は、図２において外側スカート状部分１６´と外側スカート状部分の末端縁部１８´とを除いて図１の場合と同様な参照数字を使ってある。
【００１４】
図１において従来の取付けカップの外側スカート状部分１６は取付けカップの上下方向軸線（図１のＶＡ参照）に対しわずかに外方に張出し、又外側スカート状部分１６の末端縁部１８はばりが形成される。
【００１５】
図２では外側スカート状部分１６´は取付けカップの上下方向軸線に対しわずかに内向きのテーパを持ち、又末端縁部１８´の外面２０（図２Ｂに明示してある）は斜めに切断してある。
【００１６】
好適な実施例では取付けカップの外側スカート状部分は０．５０°ないし３°の内向きテーパを持ち、又外側スカート状部分の末端縁部の外面１５°ないし２２°の斜角（ｂｅｖｅｌ）を持つ。
【００１７】
極めて好適な実施例では本発明取付けカップの外側部分は３°の内向きテーパを持ち、又末端縁部の外面は２０°のテーパを持つ。
【００１８】
図３では取付けカップ１０は入れ子式の位置（ｎｅｓｔｉｎｇ  ｌｏｃａｔｉｏｎ）４８で示してある。この場合取付けカップ１０の本体部分１４は円筒形管５０のまわりに配置してある。環状のリング５２は、取付けカップ１０のみぞ形部分１５を受入れて支えるように形状を定めたくぼみ５４を持つ。
【００１９】
入れ子式の位置４８に対し、取付けカップ１０のスカート状部分を再形成する工具を上方に整合させて位置させる。図示のようにこの工具５６は、閉じた端部５９を持つ外部円筒形スリーブ・パンチ（ｏｕｔｅｒ  ｃｙｌｉｎｄｒｉｃａｌ  ｓｌｅｅｖｅ  ｐｕｎｃｈ）５８と、内部カーリング・パンチ（ｉｎｎｅｒ  ｃｕｒｌｉｎｇ  ｐｕｎｃｈ）６０とを備える。内部カーリング・パンチ６０の前方部分６２は、取付けカップ１０のみぞ形部分１５の上面と、本体部分１４と、スカート状部分１６とに組合う形状にしてある。外部円筒形スリーブ５６の開いた端部の内面６４は、わずかに内向きのテーパを持つ。このテーパは一層大きい角度の内向きテーパを持つ内端部に終る。閉じた端部５９と内部カーリング・パンチ６０との間にはばね６６を配置してある。外部円筒形スリーブ・パンチ５８と内部カーリング・パンチ６０との漸次の下降運動により、取付けカップを支持入れ子式状態（ｓｕｐｐｏｒｔ  ｎｅｓｔ）にする。取付けカップの再成形は、図４に示すように内部カーリング・パンチ６０を取付けカップ上に適正に当てがった後に外部円筒形スリーブ・パンチ５８を内部カーリング・パンチ６０の上面６１に向かい下方に前進させることにより行われる。
【００２０】
以上述べた利点のほかに本発明取付けカップは以下の付加的利点を持つ。
【００２１】
（ａ）弁組付け又はその他の作業の間に隣接する取付けカップの追尾中に各取付けカップの実際の接触区域はスカート状部分の外周半径面上の点に有効に移動する。この場合各取付けカップは隣接カップにスカート状部分壁上の最強の点で確実に接触することにより、実際上たびたび生ずるスカート状部分の末端縁部のへこみ（ｄｅｎｔｉｎｇ）を除去する。
【００２２】
（ｂ）スカート状部分輪郭と、取付けカップ外径との合致により、ガスケット弁組立て作業中に取付けカップの一層正確な心立て（ｃｅｎｔｅｒｉｎｇ）又はピッチング（ｐｉｔｃｈｉｎｇ）［機械の設定］が確実にできる。この利点は、とくに取付けカップのスカート状部分区域の目視による損傷が最少となり種種の組立て作業に必要とされる速度及び生産量が比較的高くなり有利である。
【００２３】
（ｃ）この改良されたスカート状部分の縁部により、取付けカップに取付けられる付属装置（アクチュエータ）すなわちオーバキャップ／スパウト（ｏｖｅｒｃａｐｓ／ｓｐｏｕｔｓ）等のプラスチック保持出張り（ｐｌａｓｔｉｃ  ｒｅｔａｉｎｉｎｇ  ｌｕｇ）の損傷を防ぐ。
【００２４】
（ｄ）さらに本発明の取付けカップのテーパ付きスカート状部分は、この取付けカップを容器に恒久的に固定するのに先だって、引続く製造作業のために取付けカップに位置決めした後切断ガスケット（ｃｕｔ  ｇａｓｋｅｔｓ）［グロメット］の保持機能を高める。
【００２５】
以上本発明の特定の例を説明のために示したが、なお本発明はその精神を逸脱しないで種種の変化変型を行うことができるのはもちろんである。
【図面の簡単な説明】
【図１】  従来の取付けカップの横断面図である。
【図２】  本発明取付けカップの横断面図である。
【図２Ａ】  図２の取付けカップの円形鎖線内の部分の拡大横断面図である。
【図２Ｂ】  図２Ａの取付けカップの円形鎖線内の部分の拡大横断面図である。
【図３】  図２の取付けカップを形成するのに使う装置を開いた位置で示す部分軸断面図である。
【図４】  図３の装置を閉じた位置で示す軸断面図である。
【符号の説明】
１０    取付けカップ
１１    台部分
１３    輪郭部分
１４    本体部分
１６    外側スカート状部分
１６´  スカート状部分
１８´  末端縁部
【図１】
0004312961.tif 000002
【図２】
0004312961.tif 000003
【図２Ａ】
0004312961.tif 000004
【図２Ｂ】
0004312961.tif 000005
【図３】
0004312961.tif 000006
【図４】
0004312961.tif 000007